(57)【要約】      （修正有）【課題】防水性を向上した靴を提供する。【解決手段】アッパーとソール３とを備える靴であって、前記アッパーは、少なくとも２つの部分で構成され、第１の部分を構成する第１の生地１と第２の部分を構成する第２の生地２とが隣接して接合されていて、隣接して接合された前記第１の生地と前記第２の生地とがシームレスに接合され、前記第１の生地は、前記第２の生地と接合される縁部が内側に折り曲げられ、前記第２の生地の縁部付近の外側表面に押しつけられ、これらが熱圧着されている。【選択図】図１
0003223853.tif 000002
【実用新案登録請求の範囲】
【請求項１】
アッパーとソールとを備える靴であって、
前記アッパーは、少なくとも２つの部分で構成され、
第１の部分を構成する第１の生地と、第２の部分を構成する第２の生地とが隣接して接合されていて、
前記第１の生地は、前記第２の生地と接合される縁部が内側に折り曲げられ、前記第２の生地の縁部付近の外側表面に押しつけられてこれらが熱圧着されており、該第１の生地と該第２の生地とがシームレスに接合されていることを特徴とする、靴。
【請求項２】
前記第１の部分が靴の前方を含む部分であり、前記第２の部分が靴の後方を含む部分であり、
前記第１の生地が足の前方部分を覆うように配され、前記第２の生地が足の後方部分を覆うように配され、
前記第１の生地と前記第２の生地が、足の甲の部分で接合されている、
請求項１に記載の靴。
【請求項３】
前記第１の部分が靴の前方を含む部分であり、前記第２の部分が靴の後方を含む部分であり、
前記第２の部分を構成する前記第２の生地は、後側または横側で端部が接合されていて、一方の端部が内側に折り曲げられ、他方の端部付近の外側表面に押しつけられ、これらが熱圧着されている、
請求項１または２に記載の靴。
【請求項４】
前記第１の生地または前記第２の生地において、内側に折り曲げられる折り目部分が、６―１２ｍｍの幅を有する、
請求項１乃至３のいずれか１項に記載の靴。
【請求項５】
前記折り目部分が、７−１０ｍｍの幅を有する、
請求項４に記載の靴。
【請求項６】
前記第１の生地および前記第２の生地が、熱圧着可能な素材である、
請求項１乃至５のいずれか１項に記載の靴。
【請求項７】
前記第１の生地および前記第２の生地が、しわを防止するＰＵ素材である、
請求項６に記載の靴。
【考案の詳細な説明】
【技術分野】
【０００１】
本考案は、靴に関し、より詳細にはアッパーを構成する生地の接合部の構造に特徴を有する靴に関する。
【背景技術】
【０００２】
従来の短靴やブーツなどのアッパー部分は、複数の生地を継ぎ合わせることによって形成されていて、これら隣接する生地の継ぎ合わせ部分は、逢着されて接合されている。具体的には、図６に示すように、２つの生地９１、９２の縁部がそれぞれ内側に折り曲げられ、折り目部分の頂部どうしを付き合わせるようにして逢着されて接合されている。また、逢着された接合部分９３の裏側から、防水用のストリップ９４が取り付けられている。
【考案の概要】
【考案が解決しようとする課題】
【０００３】
しかしながら、上記した従来の靴の構造では、防水性に乏しく、大雨の場合などには、内部に水が浸入するケースが多く、そうすると着用者に不快感を与え、靴の寿命にも影響を及ぼしていた。
【０００４】
本考案の主たる目的は、従来の靴よりも防水性を高めるため、生地の接合部分において良好な防水性能を有する継ぎ目のない靴を提供することにある。
【課題を解決するための手段】
【０００５】
上記の課題を解決するために本考案の一の態様の靴は、アッパーとソールとを備える靴であって、前記アッパーは、少なくとも２つの部分で構成され、第１の部分を構成する第１の生地と、第２の部分を構成する第２の生地とが隣接して接合されていて、前記第１の生地は、前記第２の生地と接合される縁部が内側に折り曲げられ、前記第２の生地の縁部付近の外側表面に押しつけられてこれらが熱圧着されており、該第１の生地と該第２の生地とがシームレスに接合されていることを特徴とする。
【０００６】
この構成によれば、生地の接合部分が熱圧着されていてすき間がないため、生地の接合部分に縫い目のある従来の靴に比べて、防水性能が向上する。加えて、縫い目が全て隠れるほどに靴が浸水した場合、従来の靴であれば内部に浸水していたところ、本考案の靴であれば内部への浸水を防止することが可能である。
【０００７】
また、この靴は、前記第１の部分が靴の前方を含む部分であり、前記第２の部分が靴の後方を含む部分であり、前記第１の生地が足の前方部分を覆うように配され、前記第２の生地が足の後方部分を覆うように配され、前記第１の生地と前記第２の生地が、足の甲の部分で接合されている。この構成によれば、第１の生地と第２の生地との接合部が足の甲の部分となるため、接合部分が着用者の足の動きに干渉しづらく動きやすい。
【０００８】
また、この靴は、前記第１の部分が靴の前方を含む部分であり、前記第２の部分が靴の後方を含む部分であり、前記第２の部分を構成する前記第２の生地は、後側または横側で端部が接合されていて、一方の端部が内側に折り曲げられ、他方の端部付近の外側表面に押しつけられ、これらが熱圧着されている。この構成によれば、第２の生地どうしに接合部が存在する場合、上記の構造にすることで、この接合部からの浸水を効果的に防止することができる。
【０００９】
また、この靴は、前記第１の生地または前記第２の生地において、内側に折り曲げられる折り目部分が、６―１２ｍｍの幅を有することが望ましい。折り目部分の幅が６ｍｍ以上であると効果的に浸水を防止し十分な防水性を有することが可能であり、折り目部分の幅が１２ｍｍ以下であると、外観上の美観を損なわず、またフレキシブルとなる。
【００１０】
より望ましくは、この靴は、前記折り目部分が７−１０ｍｍの幅を有する。この構成によれば、より浸水の防止と美観およびフレキシブル性が効果的である。
【００１１】
また、この靴は、前記第１の生地および前記第２の生地が熱圧着可能な素材である。この構成によれば、第１の生地と第２の生地を熱圧着により確実に接合することができ、防水性を従来よりも高めることができる。
【００１２】
また、この靴は、前記第１の生地および前記第２の生地が、しわを防止するＰＵ素材である。この構成によれば、ＰＵ素材自体に防水性があるため、靴全体の防水性を高めることができる。また、しわを防止する素材を用いることで、外観上の美観を維持できる。
【考案の効果】
【００１３】
本考案の靴によれば、従来の靴と比較して、雨などによる水が生地の接合部からの浸透を抑制し、防水性能が非常に優れた靴を提供することができる。
【図面の簡単な説明】
【００１４】
【図１】図１は、本考案の一の実施形態の靴の構造を示す概略図である。
【図２】図２は、本考案の一の実施形態の靴の生地の接合部の構造を示す概略図である。
【図３】図３は、本考案の一の実施形態の靴の変形例を示す概略図である。
【図４】図４は、本考案の一の実施形態の靴の変形例を示す概略図である。
【図５】図５は、本考案の一の実施形態の靴の変形例を示す概略図である。
【図６】図６は、従来の靴の隣接する生地の接合部の概略図である。
【考案を実施するための形態】
【００１５】
以下、本考案の一の態様に係る実施形態について図面に基づき説明するが、本考案はこれに限定されるものでない。特に、下記の実施形態ではブーツ靴の場合を例に説明するが、本考案は短靴に用いることも可能である。
【００１６】
図１に示すように、本実施形態の靴は、アッパーと、アッパーの下面に取り付けられたソール３とを主要な構成として備える。アッパーは、靴の前方を含む部分を構成する生地１と、靴の後方を含む部分を構成する生地２とを備える。また、生地２の上端部分は、パイピング処理がされている。
【００１７】
なお、本実施形態のアッパーは、生地１と生地２の２つの部分を主たる構成としているが、これに限られず、３以上の生地を用いて３以上の部分の構成としてもよい。例えば、生地１を更に２つの部分に分割したり、生地２を更に２つの部分に分割したりしてもよい（図３参照）。なお、その場合、それぞれの生地の接合部分は、熱圧着により接合するとよい。また、本考案は、ブーツに限らず、短靴に適用することも可能である（図４参照）。
【００１８】
また、生地１は、足の前方部分を覆うように配されていて、生地２は、足の後方部分を覆うように配されている。そして、生地１と生地２とは、足の甲に対応する部分４で接合されている。また、生地１および生地２の下方端部はソール３と接合されている。
【００１９】
また、生地１と生地２の接合部分４は、図２に示すように、生地１の縁部が内側へ曲げられて内側のヘム１１が形成され、生地２の縁部２１の外側表面に熱圧着されている。なお、製造は、生地１と生地２とを図２のように重ね合わせて圧力と熱を加えることで、これらを圧着して接合することによる。
【００２０】
このようにすることで、接合分４は縫い目がなく、シームレスに接合される。そして、接合部分４には恒久的な防水構造が形成され、雨水などによる水の浸入を防止することが可能となる。
【００２１】
また、従来の縫い目のある靴の場合、防水性能を発揮できるのは地面からソール高さの１，２ｃｍ程度か、せいぜい４ｃｍ程度であるところ、本実施形態の靴でれば、地面から約１６ｃｍ、靴の履き口の下方辺りまで防水性能を得ることができる。また、本実施形態の靴であれば、従来の靴のように接合部を逢着する必要がないため、良好な防水性能を得ながら、工期をより速くでき、また低コストで靴を製造することが可能となる。
【００２２】
また、本実施形態の靴において、生地２は生地１、ソール３との接合部分以外に接合部部分がない構成としているが、図５に示すように、生地２が靴の後面で接合されている構成としてもよく、側面で接合されている構成としてもよい。
【００２３】
なお、本実施形態では、生地１の内側フランジ１１の幅を約１０ｍｍ程度にしているが、この幅はこれに限られず、６―１２ｍｍや、７−１０ｍｍの幅としてもよい。
【００２４】
また、本実施形態では生地１および生地２は、しわ防止ＰＵ材料を用いているが、これに限られず、熱圧着可能な生地であればその他の生地を用いることも可能である。例えば、その他のウレタンやナイロン、アクリルなどの合成繊維が考えられる。また、熱圧着できない生地の場合も、接合する生地と生地の間に熱圧着により接合可能なテープを介在させてこれらを接合することも考えられる。ただし、防水性能の観点から、熱圧着可能な生地を用いることが望ましい。
【００２５】
以上のとおり、図面を参照しながら本考案の好適な実施形態を説明したが、本考案の趣旨を逸脱しない範囲内で、種々の追加、変更または削除が可能である。特に、上記の実施形態ではアッパーが２つの生地を主要な構成とする場合について説明したが、本考案は３つ以上の生地で構成された靴に用いることも可能である（図３参照）。また、上記の実施形態ではブーツ靴の場合を例に説明したが、本考案は短靴に用いることも可能である（図４参照）。したがって、そのようなものも本考案の範囲内に含まれる。
【図１】
0003223853.tif 000003
【図２】
0003223853.tif 000004
【図３】
0003223853.tif 000005
【図４】
0003223853.tif 000006
【図５】
0003223853.tif 000007
【図６】
0003223853.tif 000008